(57)【要約】 【課題】簡便な方法で生産でき、生産性及び品質に優れたフラットディスプレイパネルの提供を目的とする。【解決手段】上記目的を達成するため、複数の表示ユニットにより構成される表示アレイ、当該表示アレイの周辺部に配するスキャンドライバ、ビデオ信号を供給するデータドライバとを含むフラットディスプレイパネルにおいて、前記スキャンドライバとしては、第１スキャンドライバ３０１と第２スキャンドライバ３０２との２つを備え、前記第１スキャンドライバ３０１と協働して動作する第１データドライバ３０３と、第２スキャンドライバ３０２と協働して動作する第２データドライバ３０４とを備えることを特徴としたフラットディスプレイパネル３等を採用する。【選択図】図１
2006235602.tif 000002
【特許請求の範囲】
【請求項１】
複数の表示ユニットにより構成される表示アレイ、当該表示アレイの周辺部に配するスキャンドライバ、ビデオ信号を供給するデータドライバとを含むフラットディスプレイパネルにおいて、
前記スキャンドライバとしては、第１スキャンドライバと第２スキャンドライバとの２つを備え、
前記第１スキャンドライバと協働して動作する第１データドライバと、第２スキャンドライバと協働して動作する第２データドライバとを備えることを特徴としたフラットディスプレイパネル。
【請求項２】
前記第１スキャンドライバは、所定のスキャンラインが第一走査開始信号を受け、そのスキャンライン上にある前記表示ユニットをオンの状態にしたとき、第一データドライバによって、前記表示ユニットに前記第一データスタート信号に基づいたビデオ信号が供給され、
前記第２スキャンドライバは、所定のスキャンラインが第二走査開始信号を受け、そのスキャンライン上にある前記表示ユニットをオンの状態にしたとき、第二データドライバによって、前記表示ユニットに基準ビデオ信号が供給されるものである請求項１に記載のフラットディスプレイパネル。
【請求項３】
前記基準ビデオ信号は、基準画像を表示するための単一のグレースケール値の画像を表示するための信号である請求項２に記載のフラットディスプレイパネル。
【請求項４】
前記基準画像は、フルブラック画像又はフルホワイト画像である請求項３に記載のフラットディスプレイパネル。
【請求項５】
前記第一走査開始信号と前記第二走査開始信号との各信号は同期することなく、異相差をもって走査を行うものである請求項２〜請求項４のいずれかに記載のフラットディスプレイパネル。
【請求項６】
前記表示ユニットは、画像表示のフレーム期間を、第１データドライバからのビデオ信号を受けて画像を所定時間表示し、その後、基準ビデオ信号により単一グレースケール値の画像を表示するように制御する請求項２〜請求項５のいずれかに記載のフラットディスプレイパネル。
【請求項７】
垂直同期信号、水平同期信号、クロック信号に基づいて、
前記第一走査開始信号と前記第二走査開始信号と前記第一データスタート信号とを送信するタイミング制御装置を含む請求項２〜請求項６のいずれかに記載のフラットディスプレイパネル。
【請求項８】
フラットディスプレイパネルを用いて製造したディスプレイ装置であって、請求項１〜請求項７のいずれかに記載のフラットディスプレイパネルを用いたことを特徴としたディスプレイ装置。
【発明の詳細な説明】
【技術分野】
【０００１】
本件発明は、フラットディスプレイパネル及びそのフラットディスプレイパネルを用いたディスプレイ装置に関する。特に、ＴＦＴパネル等のフラットディスプレイパネルにおいて見られる動画の残像を解消する事の可能なフラットディスプレイパネル及びディスプレイ装置に関する。
【背景技術】
【０００２】
従来のブラウン管（ＣＲＴ）ディスプレイ装置は、電子ビームを制御することによって輝度を決める。このときインパルス型発行方式を採用するのが一般的であり、その時間と輝度との関係は、図６に示すように急峻な立ち上がりおよび立ち下がりを有する発光特性を示す。このときの輝度は、以下に述べるようなＬＣＤパネルのような一定のフレーム期間の間、一定レベルに維持されることがない。この結果、ＣＲＴディスプレイ装置が動画像を表示するときでも、残像が発生せずクリアな画像が得られる。
【０００３】
これに対し、ＴＦＴ液晶パネルに代表されるフラットディスプレイパネルにおいては、残像、色ムラが発生しやすい傾向にある。図４は、従来のＬＣＤパネルの概略図である。図４に示すように、ＬＣＤパネル１は、データドライバ１０、スキャンドライバ１１と、表示アレイ１２を含んで構成されている。そして、データドライバ１０は、複数のデータラインＤ１〜Ｄｎを制御し、スキャンドライバ１１は、複数のスキャンラインＳ１〜Ｓｍを制御する。表示アレイ１２は、交差したデータラインＤ１〜ＤｎとスキャンラインＳ１〜Ｓｍとによって形成される。交差したデータラインＤｎとスキャンラインＳｍとは、表示アレイ１２を構成する表示ユニットに対応し、例えば、交差したデータラインＤ１とスキャンラインＳ１を例に取れば、表示ユニット１００に対応し制御することになる。この表示ユニット１００が画素と称されるものである。従来の表示ユニット１００の等価回路は、薄膜トランジスタ（ＴＦＴ）Ｔ１０、蓄積コンデンサＣｓ１０と、液晶コンデンサ（ｌｉｑｕｉｄ ｃｒｙｓｔａｌ ｃａｐａｃｉｔｏｒ）Ｃｌｃ１０を含む。
【０００４】
スキャンドライバ１１は、スキャン制御信号に基づいてスキャン信号をスキャンラインＳ１〜Ｓｍに順次に出力する。スキャン信号を受けた時、一つの列に対応するスキャンラインは、その列に対応する全表示ユニット内のＴＦＴをオンの状態にする。そして、スキャン信号を受けていない全ての列に対応する全表示ユニット内のＴＦＴはオフの状態になる。そして、スキャンラインの列に対応する画素の全表示ユニット内のＴＦＴがオンの状態ににされた時、データドライバ１０は、待機中の画像データに基づいて、対応するビデオ信号（グレースケール値に相当する電圧）をデータラインＤ１〜Ｄｎによって、列内にある表示ユニットに出力する。より具体的に言えば、スキャンドライバ１１からスキャンラインＳ１にスキャン信号を出力したとき、ＴＦＴ Ｔ１０はオンの状態になる。そして、データドライバ１０は、対応するビデオ信号をデータラインＤ１によって、表示ユニット１００に出力する。このとき蓄積コンデンサＣｓ１０は、ビデオ信号の電圧値を記録保存するように機能する。更に、蓄積コンデンサＣｓ１０に保存された電圧に基づいて、液晶コンデンサＣｌｃ１０の液晶分子の偏角を決めることができ、ＬＣＤ装置のバックライトモジュールからの光の透過量を決めることができる。
【０００５】
維持駆動法（ｈｏｌｄ−ｄｒｉｖｉｎｇ ｍｅｔｈｏｄ）は、ＬＣＤ装置の表示ユニットを制御するために用いられる。これを示したのが、図５である。即ち、維持駆動法を用いての表示ユニットの輝度制御は、例えば、フレーム期間Ｆ１１の全期間、一定レベルに維持される。回路では、フレーム期間Ｆ１１の間、蓄積コンデンサＣｓ１０に保存された電圧が維持され、次のフレーム期間Ｆ１２が始まるまで一定に維持される。しかし、液晶分子の応答時間は、フレーム周期より遅いのが通常であり、フレーム期間Ｆ１２のビデオ信号の電圧が蓄積コンデンサＣｓ１０に保存されるとき、前のフレーム期間Ｆ１１のビデオ信号の電圧が残存している。よって、ＬＣＤ装置が動画像を表示する時、画像の重複が発生し、残像が発生する原因となる。
【０００６】
そこで、フラットディスプレイパネルの残像、色ムラの解消のためには、特許文献１にあるように、負の誘電異方性を有する液晶分子を含む液晶層が、対向配置された対向基板とＴＦＴ アレイ基板との間に挟持され、反射表示領域と透過表示領域とが設けられ、ＴＦＴ アレイ基板の内面に前記透過表示領域と反射表示領域の液晶層厚を異ならせるための絶縁膜（液晶層厚調整層）と、画素電極と、配向膜とが備えられ、前記液晶層との接液面を、ドット領域内で連続的な曲面形状に形成したように、ＴＦＴの表示ユニットの構成そのものを工夫している。
【０００７】
また、特許文献２にあるように液晶表示装置は対向配置されたＴＦＴ アレイ基板及びＣＦ基板と、ＴＦＴ アレイ基板とＣＦ基板との間に狭持された液晶層とを備えた液晶表示装置であって、ＴＦＴ アレイ基板は、ゲート配線と、ゲート配線に供給する信号が入力されるゲート端子が形成されたゲート端子部とを備え、ＣＦ基板は、ゲート配線に対応する位置に配置された遮光膜と、ゲート端子部の近傍の画素に遮光膜が切断された切断部とを備える構造が提唱されている。
【０００８】
【特許文献１】特開２００４−１９８９２１号公報
【特許文献２】特開２００５−３１６２３６号公報
【発明の開示】
【発明が解決しようとする課題】
【０００９】
しかしながら、上述の如き特許文献１又は特許文献２に開示のような、ＴＦＴ回路そのものの構成の変更及びパネルとしての層構成の変更は、工程変更を招くため、製造ラインの変更を余儀なくされ、しかも、製造工程の増加によるコストアップを招くものとなり好ましくない。
【００１０】
また、ＴＦＴ回路の構成変更及びパネルとしての層構成を変更するためには、使用材料の増加、変更を伴うため、製品としての信頼性試験等も必要となり、手続きが煩雑化する。
【００１１】
以上のことから、製造コストを上昇させることなく簡便な方法で生産でき、工程生産性及び品質に優れたフラットディスプレイパネルが望まれてきた。
【課題を解決するための手段】
【００１２】
そこで、鋭意研究の結果、以下のような構成のＬＣＤパネルの構成を採用することで、動画を表示したときの残像を効果的に除去できる高品質の製品の提供が可能であることに想到した。なお、本件発明に係る技術的思想は、ＬＣＤパネルに限らず有機ＥＬパネル等の他の一般的にフラットディスプレイパネルと称するものに転用可能である。
【００１３】
本件発明に係るフラットディスプレイパネル：  本件発明に係るフラットディスプレイパネルは、複数の表示ユニットにより構成される表示アレイ、当該表示アレイの周辺部に配するスキャンドライバ、ビデオ信号を供給するデータドライバとを含むフラットディスプレイパネルにおいて、前記スキャンドライバとしては、第１スキャンドライバと第２スキャンドライバとの２つを備え、前記第１スキャンドライバと協働して動作する第１データドライバと、第２スキャンドライバと協働して動作する第２データドライバとを備えることを特徴とするものである。
【００１４】
そして、本件発明に係るフラットディスプレイパネルにおいて、前記第１スキャンドライバは、所定のスキャンラインが第一走査開始信号を受け、そのスキャンライン上にある前記表示ユニットをオンの状態にしたとき、第一データドライバによって、前記表示ユニットに前記第一データスタート信号に基づいたビデオ信号が供給され、
前記第２スキャンドライバは、所定のスキャンラインが第二走査開始信号を受け、そのスキャンライン上にある前記表示ユニットをオンの状態にしたとき、第二データドライバによって、前記表示ユニットに基準ビデオ信号が供給されるものとすることが好ましい。
【００１５】
また、本件発明に係るフラットディスプレイパネルにおいて、前記基準ビデオ信号は、基準画像を表示するための単一のグレースケール値の画像を表示するための信号とすることが好ましい。
【００１６】
そして、前記基準画像は、フルブラック画像又はフルホワイト画像のいずれかであることが好ましい。
【００１７】
また、本件発明に係るフラットディスプレイパネルにおいて、前記第一走査開始信号と前記第二走査開始信号との各信号は同期することなく、異相差をもって走査を行うものであることが好ましい。
【００１８】
本件発明に係るフラットディスプレイパネルにおける前記表示ユニットは、画像表示のフレーム期間を、第１データドライバからのビデオ信号を受けて画像を所定時間表示し、その後、基準ビデオ信号により単一グレースケール値の画像を表示するように制御することが好ましい。
【００１９】
更に、本件発明に係るフラットディスプレイパネルにおいて、垂直同期信号、水平同期信号、クロック信号に基づいて、前記第一走査開始信号と前記第二走査開始信号と前記第一データスタート信号とを送信するタイミング制御装置を含む事が好ましい。
【００２０】
本件発明に係るディスプレイ装置：  本件発明に係るディスプレイ装置は、フラットディスプレイパネルを用いて製造したディスプレイ装置であって、上述のいずれかに記載のフラットディスプレイパネルを用いたことを特徴としたものである。
【発明の効果】
【００２１】
本件発明に係るフラットディスプレイパネルは、前記スキャンドライバとしては、第１スキャンドライバと第２スキャンドライバとの２つを備え、前記第１スキャンドライバと第１データドライバと協働して画像表示を行い、その後第２スキャンドライバと第２データドライバとが協働して残像を強制的に消去のための動作を行うため、残像を確実に消去することができる。従って、本件発明に係るフラットディスプレイパネルを用いたディスプレイ装置は、残像のない高品質の画像の表示が可能となる。
【発明を実施するための最良の形態】
【００２２】
本件発明についての目的、特徴、長所が、より一層明確に理解されるよう、以下に実施形態を例示し、図面を参照しつつ詳細に説明する。
【００２３】
ここでは、図１に示すようなディスプレイユニット３を用いて説明する。そして、このディスプレイユニット３は、フラットディスプレイパネル３０とタイミング制御装置３１とを含むものとして表示している。そして、フラットディスプレイパネル３０は、複数の表示ユニット３００Ｐを含む表示アレイ３００、第１スキャンドライバ３０１、第２スキャンドライバ３０２、第１データドライバ３０３、第１データドライバ３０４、入力ポート３０５を含むものとして記載している。
【００２４】
前記第１スキャンドライバ３０１は、複数の第１スキャンラインＳ１〜Ｓｍを制御するものであり、第２スキャンドライバ３０２は、複数の第２スキャンラインＳＢ１〜ＳＢｍを制御するものとして用いる。そして、第１データドライバ３０３は、複数の第１データラインＤ１〜Ｄｎを制御し、第２データドライバ３０４は、複数の第２データラインＤＢ１〜ＤＢｎを制御する。
【００２５】
従って、表示アレイ３００には、第１スキャンラインＳ１〜Ｓｍ、第２スキャンラインＳＢ１〜ＳＢｍ、第１データラインＤ１〜Ｄｎ、第２データラインＤＢ１〜ＤＢｎのそれぞれの信号ラインが含まれることになる。そして、これらの交差したデータラインとスキャンラインとは、各表示ユニット３００Ｐの位置を特定し制御するものとなる。例えば、交差した第１データラインＤ１と第１スキャンラインＳ１との交点は、第２データラインＤＢ１と第２スキャンラインＳＢ１との交点と一致して、同一の表示ユニット３００Ｐを構成することになる。
【００２６】
そして、ここで言うタイミング制御装置３１は、垂直同期信号ＶＳＹＮ、水平同期信号ＨＳＹＮ、クロック信号ＣＬＫを受け、走査開始信号ＶＳＴ、走査開始信号ＶＳＴ−Ｂ、データスタート信号ＨＳＴ、データスタート信号ＨＳＴ−Ｂの各信号をフラットディスプレイパネル３０に、タイミング良く供給するためのものである。
【００２７】
更に、図１には、表示ユニット３００Ｐの等価回路を模式的に理解しやすく表示している。ここで言う表示ユニット３００Ｐは、二つのスイッチング素子（三端子素子であるトランジスタＴ３０，Ｔ３１）、蓄積コンデンサＣｓ３０、液晶コンデンサＣｌｃ３０を含むものである。この二つのスイッチング素子Ｔ３０，Ｔ３１としては、ＮＭＯＳトランジスタを用いることが好ましい。そして、トランジスタＴ３０のゲートは、第１スキャンラインＳ１に接続され、そのドレインは第１データラインＤ１に接続され、そのソースは画素電極ＰＥに接続して用いる。一方、トランジスタＴ３１のゲートは第２スキャンラインＳＢ１に接続され、そのドレインは第２データラインＤＢ１に接続され、そのソースは画素電極ＰＥに接続して用いる。そして、蓄積コンデンサＣｓ３０は、画素電極ＰＥと共通電極ＣＯＭの間に接続される。
【００２８】
以上のように、図１に明示した表示ユニット３００Ｐを取り上げ説明してきたが、スキャンラインの列に対応するその他の表示ユニットも表示ユニット３００Ｐと同じように動作する。
【００２９】
ここで図２は、表示ユニット３００Ｐのフレーム時間と輝度と間の関係を表している。ここでは図１に示した表示ユニット３００ＰのフレームＦ３１は、第一周期Ｔ１と第二周期Ｔ２に分けられる。この第一周期Ｔ１では、タイミング制御装置３１からの走査開始信号ＶＳＴに基づいて、第１スキャンドライバ３０１を通じて、走査開始信号を第１スキャンラインＳ１によって表示ユニット３００Ｐに供給しトランジスタＴ３０をオン状態にする。そして、表示ユニット３００Ｐがオン状態のときに、タイミング制御装置３１からのデータスタート信号ＨＳＴに基づいて、データドライバ３０３を通じてデータラインＤ１によって対応するビデオ信号を表示ユニット３００Ｐに出力し、ビデオ信号に応じた画像が表示ユニット３００Ｐに表示される。これが、図２の第一周期Ｔ１であり、表示ユニット３００Ｐの輝度は、ビデオ信号に基づいた一定のレベルに維持される。
【００３０】
そして、第一周期Ｔ１に続く第二周期Ｔ２は、タイミング制御装置３１からの走査開始信号ＶＳＴ−Ｂに基づいて、第２スキャンドライバ３０２を通じて第２スキャンラインＳＢ１によって表示ユニット３００ＰのトランジスタＴ３１をオン状態にする。表示ユニット３００ＰのトランジスタＴ３１がオン状態になったとき、第２データドライバ３０４は、データラインＤ１を通じて基準ビデオ信号を表示ユニット３００Ｐに出力する。
【００３１】
この基準ビデオ信号は、フルブラック画像又はフルホワイト画像を得るためのグレースケール値に対応するものである。以下、フルブラック画像を得るための基準ビデオ信号を流すものとして説明する。即ち、図２の第二周期Ｔ２では、基準ビデオ信号に基づいてフルブラック画像を得るため、表示ユニット３００Ｐの輝度は低レベルになり、輝度として測定できない状態となっている。
【００３２】
以上のことから、第１スキャンドライバ３０１と第２スキャンドライバ３０２とは、同調して同時に動作するのではなく、動作タイミングが異相をもって異なるタイミングで動作する。即ち、走査開始信号ＶＳＴと走査開始信号ＶＳＴ−Ｂは、異相をもって動作するのである。
【００３３】
また、図１に示すように、タイミング制御装置３１は、フラットディスプレイパネル３０の外側に設定されている。このタイミング制御装置３１は、フラットディスプレイパネル３０に連接した入力ポート３０５を通しては、走査開始信号ＶＳＴ、走査開始信号ＶＳＴ−Ｂと、データスタート信号ＨＳＴ、データスタート信号ＨＳＴ−Ｂのそれぞれの信号を、フラットディスプレイパネル３０の第１スキャンドライバ３０１、第２スキャンドライバ３０２、第１データドライバ３０３、第２データドライバ３０４に伝送する。
【００３４】
以上に述べてきた実施形態と異なるものとして、図３に示すように、タイミング制御装置３１を、フラットディスプレイパネル３０の領域内に配置することも好ましい。かかる場合、入力ポート３０５を通して、垂直同期信号ＶＳＹＮ、水平同期信号ＨＳＹＮと、クロック信号ＣＬＫの各信号をタイミング制御装置３１が受ける。そして、フラットディスプレイパネル３０は、タイミング制御装置３１から垂直同期信号ＶＳＹＮ、水平同期信号ＨＳＹＮと、クロック信号ＣＬＫの各信号を受け、フラットディスプレイパネルの各信号ラインに走査開始信号ＶＳＴ、走査開始信号ＶＳＴ−Ｂ、データスタート信号ＨＳＴ、データスタート信号ＨＳＴ−Ｂを伝送する。
【００３５】
以上に述べてきたフラットディスプレイパネルの実施形態から明らかなように、本件発明に係るフラットディスプレイパネルは、２つの第１スキャンドライバ及び第２スキャンドライバ、２つの第１データドライバ及び第２データドライバを含むものである。そして、第１スキャンドライバ３０１は、データドライバ３０３と協働して、フラットディスプレイパネル３０の全表示ユニットを駆動させ画像を表示する。一方、第２スキャンドライバ３０２は、第２データドライバ３０４と協働してフラットディスプレイパネル３０の全表示ユニットを単一グレースケール値で表されるフルブラック画像又はフルホワイト画像を表示するために用いる。そして、画像表示を行う際のフレーム期間は、各表示ユニットは、ビデオ信号に基づいて画像を一定時間表示した後、ブラック画像又はホワイト画像を表示する。即ち、表示ユニットが次のフレーム期間に入る前に、各表示ユニットはブラック画像又はホワイト画像で表示状態をリセットして残像消去するに切り換えるのである。このように強制的に残像を消去するため、ＣＲＴディスプレイ装置に用いられるインパルス放電法と類似した急激な立ち下がりと同様の効果を得ることが可能となる。
【００３６】
以上に述べてきた実施形態では、一つの表示ユニットを例示的に取り上げ説明してきたが、現実にはスキャンラインの列に対応する全表示ユニットは、同様の動作を列毎に行うことを改めて明記しておく。また、諸動作のタイミングは、信号制御システムの設定要件に基づいて決められる。また、一つのフレームの第一期間及び第二期間の長さも、信号制御システムの設定要件に基づいて定まる。
【００３７】
そして、上述の本件発明に係るフラットディスプレイパネルを用いて、ディスプレイ装置を製造するにあたり、特に製造方法に限定はない。公知の手法のいずれを用いても問題はない。
【００３８】
以上のように、本件発明の好適な実施形態を例示したが、この実施形態により本件発明を限定するものではなく、本件発明の技術的思想及び範囲を逸脱しない限りにおいては、当業者であれば行い得る要素の変更、付加等することは可能である。
【産業上の利用可能性】
【００３９】
本件発明に係るフラットディスプレイパネルは、前記第１スキャンドライバと第１データドライバと協働して画像表示を行い、その後第２スキャンドライバと第２データドライバとが協働して残像を強制的に消去のための動作を行い、残像を確実に消去することができる。従って、この本件発明に係るフラットディスプレイパネルを用いたディスプレイ装置は、残像のない高品質の画像の表示が可能となる。
【００４０】
また、本件発明に係るフラットディスプレイパネルは、従来のフラットディスプレイパネルの構成に、１つのスキャンドライバと１つのデータドライバとを追加するだけで生産することが可能であり、生産コストの増加が顕著になることもない。従って、安価で高品質のディスプレイ装置を市場に供給することが可能となる。
【図面の簡単な説明】
【００４１】
【図１】本件発明に係るフラットディスプレイパネルの構造を示した模式図である。
【図２】本件発明に係るフラットディスプレイパネルのフレーム時間と輝度と間の発光特性関係を表した図である。
【図３】本件発明に係るフラットディスプレイパネルの構造を示した模式図である。
【図４】従来のＬＣＤ装置の概略図である。
【図５】維持駆動法（ｈｏｌｄ−ｄｒｉｖｉｎｇ ｍｅｔｈｏｄ）によって駆動された従来のＬＣＤ装置の時間と輝度との関係を表している。
【図６】インパルス駆動法（ｉｍｐｕｌｓｅ−ｄｒｉｖｉｎｇ ｍｅｔｈｏｄ）によって駆動されたＣＲＴディスプレイ装置の時間と輝度間の関係を表している。
【符号の説明】
【００４２】
１、３０                フラットディスプレイパネル
３                      ディスプレイユニット
１０                    データドライバ
３０３                  第１データドライバ
３０４                  第２データドライバ
１１                    スキャンドライバ
３０１                  第１スキャンドライバ
３０２                  第２スキャンドライバ
１２、３００            表示アレイ
３１                    タイミング制御装置
１００、３００Ｐ        表示ユニット
３０５                  入力ポート
Ｃｌｃ１０、Ｃｌｃ３０  液晶コンデンサ
Ｃｓ１０、Ｃｓ３０      蓄積コンデンサ
ＣＯＭ                  共通電極
Ｓ１〜Ｓｍ                第１スキャンライン
ＳＢ１〜ＳＢｍ            第２スキャンライン
Ｄ１〜Ｄｎ                第１データライン
ＤＢ１〜ＤＢｎ            第２データライン
ＰＥ                    画素電極
Ｔ１０、Ｔ３０、Ｔ３１  トランジスタ（スイッチング素子）  
【図１】
2006235602.tif 000003
【図２】
2006235602.tif 000004
【図３】
2006235602.tif 000005
【図４】
2006235602.tif 000006
【図５】
2006235602.tif 000007
【図６】
2006235602.tif 000008